(57)【要約】  本発明による歯ブラシは、手で把持可能に長手方向に真っ直ぐの延びる柄部１０と、前記柄部１０の延長方向に対して左側に２０°〜７０°の角度で屈曲して延び、柄部１０と平行な軸に対して植毛面の背面方向に１０°〜４０°の角度で屈曲して延びたヘッド部１２と、を備えることを特徴とする。本発明による歯ブラシは、従来の歯ブラシと比較して、歯ブラシが届き難い個所での歯垢除去力が大幅に高くなるだけではなく、手で把持して歯牙の奥部を歯磨きする際に、腕と手首への疲労が大幅に軽減するといった効果がある。
2008522780.tif 000002
【特許請求の範囲】
【請求項１】
手で把持可能に長手方向に真っ直ぐに形成された柄部（１０）と、
前記柄部（１０）の延長方向に対して左側に２０°〜７０°の角度で屈曲して延び、前記柄部（１０）と平行な軸に対して植毛面の背面方向に１０°〜４０°の角度で屈曲して延びたヘッド部（１２）と、
を備えることを特徴とする、歯ブラシ。
【請求項２】
前記ヘッド部（１２）は、前記柄部（１０）から楕円曲線状に湾曲して延びることを特徴とする、請求項１に記載の歯ブラシ。
【発明の詳細な説明】
【技術分野】
【０００１】
本発明は、歯ブラシに係り、さらに詳しくは、上顎歯牙と下顎歯牙の前歯部及び奥歯部を満遍なく磨くことが可能な特別な形状を有する歯ブラシに関する。
【背景技術】
【０００２】
通常、我々は、食べ物や食べ物によりできた歯垢を除去する目的で、歯ブラシと歯磨き粉を用いて規則的に歯磨きを行う。しかしながら、歯磨きの習慣も重要であって、単に歯並びに歯ブラシを繰り返し動かして磨くだけでは、歯と歯肉を損ねてしまうということが知られている。
【０００３】
これとは逆に、正しい歯磨き方法が知られている。例えば、上下の歯の外側は歯肉の上から下へと歯ブラシを動かして磨くが、このとき、回転するように歯ブラシを回して磨いた方がよいが、垂直にしてもよいとされている。前歯の内側は歯ブラシを立てて先端部の毛先を使い、奥歯の外側は歯ブラシを横にして歯並びに合わせて磨く。しかしながら、従来の歯ブラシは、歯磨きの際に上記の如き磨き方に従って歯磨きをすれば、手首や腕に疲労を感じてしまい、歯磨きを早く終えたくなり、結果として、清潔な歯牙管理が困難になる。
【発明の開示】
【発明が解決しようとする課題】
【０００４】
歯牙の奥部まで刷掃し易くするために、屈曲した構造の歯ブラシが開発されている。大韓民国公開実用新案第２０−１９８７−０００４７１３号公報（１９８７．０４．２０公開）には、刷毛ユニットとハンドルよりなる歯ブラシにおいて、刷毛部を有する刷毛ユニットの下部に円弧突輪を設け、この中央に運動孔を、外周縁に複数の角度孔を穿設し、スイッチ溝が設けられた持ち手には前記円弧突輪の固定用の中心軸と左右回転運動溝を刻設し、持ち手に懸出されたスイッチと動作棒の突棒及びバネにより前記刷毛ユニットが所定の角度の位置において可変的に位置決めされるようにした角度可変形歯ブラシが開示されている。
【０００５】
大韓民国公開実用新案第２０−１９９７−００４８８５２号公報（１９９７．０８．１２公開）には、角度調整構造を設けた歯ブラシが開示されている。この文献に開示された歯ブラシは、ハンドルの一側部に突出部を環状に形成し、刷毛部である植毛胴体の一側部には中心が切開された挿入溝と環状の穿孔部をＣ字状に形成してスナップ式構造にし、ハンドルと植毛胴体を組み合わせて角度を任意に調整可能にする。なお、ハンドルの一側部にはマグネチック磁石を取り付ける。
【０００６】
しかしながら、上述の如き歯ブラシも、柄部と刷毛部が片側にのみ屈折するため、歯牙の歯垢の除去に限界があるだけではなく、歯磨きをするときに手首や腕に疲労を感じてしまい、歯磨きを早く終えたくなり、結果として、清潔な歯牙管理が困難になるという不都合が依然として残る。
【０００７】
本発明が解決しようとする技術的な課題は、推奨されている歯磨き法により歯磨きをするとき、手首や腕に疲労を感じることなく、全ての歯牙の奥部や角部に刷毛を接触可能な歯ブラシを提供することにある。
【課題を解決するための手段】
【０００８】
上記の目的を達成するために、手で把持可能に長手方向に真っ直ぐに形成された柄部１０と、前記柄部１０の延長方向に対して左側に２０°〜７０°の角度で屈曲して延び、前記柄部１０と平行な軸に対して植毛面の背面方向に１０°〜４０°の角度で屈曲して延びたヘッド部１２と、を備えることを特徴とする。
【０００９】
また、前記ヘッド部１２は、前記柄部（１０）から楕円曲線状に湾曲して延びることが好ましい。
【発明の効果】
【００１０】
ユーザが本発明の歯ブラシの柄部１０を右手で持って歯磨きするとき、上顎及び下顎の前歯及び奥歯の全ての奥部及びコーナーに良好に接触する。このため、従来の歯ブラシを用いて同じ歯磨き粉、同じ時間、同じ磨き方で歯磨きする場合と比較して、歯垢除去力が大幅に向上するだけではなく、腕と手首への疲労感を軽減できる。
【００１１】
加えて、本発明による歯ブラシは、垂直方向に歯ブラシを移動させて歯磨きするようにユーザを誘導するので、水平方向にブラッシングする正しくない歯磨き習慣を直すことにも役立つ。特に、本発明の歯ブラシは、従来の歯ブラシでは刷毛が届かずに歯磨きが困難であった上顎または下顎の裏面への接近力が高くなって、抜群な歯垢の除去力を誇る。さらに、従来の歯ブラシでは、水平方向に歯磨きをするときによく発生する現象、すなわち、ブラッシング中に歯磨き粉が刷毛の間に入り込んでしまい、実際に歯磨きに供されない歯磨き粉が増える結果、歯磨き粉の消費量が多くなるという現象がある。これに対し、本発明の歯ブラシは、垂直方向の歯磨きを誘導することから、歯磨き粉の消費量を低減することができる。
【発明を実施するための最良の形態】
【００１２】
以下、添付図面に基づき、本発明の好適な実施例を詳述する。
【００１３】
図１は、本発明の実施形態による歯ブラシの構造を示す斜視図であり、図２は、本発明の実施形態による歯ブラシの構造を示す正面図であり、そして図３は、本発明の実施形態による歯ブラシの構造を示す側面図である。
【００１４】
図示の如く、本発明による歯ブラシは、手で把持できるように長手方向に真っ直ぐに形成された柄部１０と、前記柄部１０の延長方向に対して左側に向かって２０°〜７０°の角度で楕円形のカーブで屈曲して延び、かつ、柄部１０と平行な軸に対して植毛面の背面方向に１０°〜４０°の角度で楕円形のカーブで屈曲して延びたヘッド部１２と、を備えることを特徴とする。
【００１５】
通常の歯ブラシは、例えば、下顎前歯部の内側を磨くためには、右利きの場合、柄部を把持した手を口腔よりも高所まで持ち上げる必要があり、その歯磨きの方向は前歯の延び方向となる。しかし、これでは、刷毛との接触面積が狭くなり、ヘッド部の先部に位置する刷毛が寝易くなってしまうため、これは、歯ブラシそのものの歯垢除去能を大幅に劣化させる原因となる。一方、本発明による歯ブラシは、ヘッド部１２が柄部１０から延びる方向に対して楕円曲線を描きながら屈曲して延びるが、これは、歯磨きをするときに柄部１０とヘッド部１２との間の部分が唇に当たるときに、違和感が少ないということが知見された。すなわち、ヘッド部の延長形状を円形よりも楕円形にした方が好ましい。
【００１６】
しかしながら、本発明による歯ブラシは、柄部１０を右手で把持して歯磨きをすると、刷毛が上顎及び下顎の前歯及び奥歯の奥部及びコーナーに良好に接触できるので、従来の歯ブラシを使用して同じ歯磨き粉、同じ磨き方及び同じ時間で歯磨きした場合と比較して、歯垢除去力が大幅に増大するだけではなく、手首及び腕への疲労感を軽減できる。
【００１７】
また、本発明による歯ブラシは、垂直方向に歯ブラシを移動させて歯磨きするようにユーザを誘導するので、水平方向にブラッシングする正しくない歯磨き習慣を直すことにも役立つ。特に、本発明の歯ブラシは、従来の歯ブラシでは刷毛が届かずに歯磨きが困難であった上顎または下顎の裏面への接近力が高くなって、抜群な歯垢の除去力を誇る。さらに、従来の歯ブラシでは、水平方向に歯磨きをするときによく発生する現象、すなわち、ブラッシング中に歯磨き粉が刷毛の間に入り込んでしまい、実際に歯磨きに供されない歯磨き粉が増える結果、歯磨き粉の消費量が多くなるという現象がある。これに対し、本発明の歯ブラシは、垂直方向の歯磨きを誘導することから、歯磨き粉の消費量を低減することができる。
【００１８】
一方、ヘッド部１２が柄部１０から延びるが、柄部１０の延長方向に対して左側に向かって約２０°未満の角度で屈曲して延びる場合には、従来の歯ブラシと同様、通常の歯磨き姿勢では届き難い個所への刷毛の接触面積があまり変わらず、一方、７０°を超えて屈曲して延びる場合には、柄部が唇に触れて不便さを訴える場合が増える。このため、ヘッド部１２は、前記柄部１０から延びるが、前記柄部１０の延長方向に対して左側に向かって２０°〜７０°の角度で楕円曲線を描きながら屈曲して延びる場合に限って、本願発明の効果を奏することができる。
【００１９】
また、柄部１０と平行な軸に対して植毛面の背面方向に１０°未満の角度で屈曲して延びる場合には、従来の歯ブラシと同様、通常の歯磨き姿勢では届き難い個所への刷毛の接触面積があまり変わらず、４０°を超えて屈曲して延びる場合には歯牙との不咬合を訴える場合が増える。このため、ヘッド部１２は、柄部１０と平行な軸に対して植毛面の背面方向に１０°〜４０°の角度で楕円曲線を描きながら屈曲して延びる場合に限って、本願発明の効果を奏することができる。
【００２０】
もちろん、従来の歯ブラシを使用した場合であっても、奥部までていねいに磨けば、本願発明の歯ブラシと同様な効果が得られるとはいえ、ユーザが手首と腕に疲労感を感じ易く、歯ブラシの摩耗も早くなるという不都合があることに注目する必要がある。
【００２１】
任意に２００名の被験者を選定し、１００名には従来の歯ブラシを使用させ、残りの１００名には本発明の歯ブラシを使用させ、他の条件、例えば、歯磨き粉、磨き方、及び時間は同一にして、疲労を感じたと答えた被験者の数と、前歯下顎部の歯垢除去力を比較するための実験を行った。その結果を下記表１に示す。
【００２２】
【表１】
2008522780.tif 000003
【００２３】
本発明による歯ブラシは、従来の歯ブラシと比較して、歯ブラシが届き難い上顎歯及び下顎歯の背面での歯垢除去力が大幅に高くなるだけではなく、歯牙の全ての奥部やコーナーをブラッシングするときに、従来の歯ブラシと比較して腕と手首への疲労を大幅に軽減できるといった効果がある。
【産業上の利用可能性】
【００２４】
本発明による歯ブラシは、従来の歯ブラシと比較して、歯ブラシが届き難い個所での歯垢除去力が大幅に向上するだけではなく、歯牙の奥部やコーナーをブラッシングするときに、従来の歯ブラシと比較して腕と手首への疲労が大幅に軽減するといった効果がある。また、本発明の歯ブラシは、垂直方向に歯ブラシを移動させる歯磨きをユーザに誘導するため、水平方向にブラッシングする悪い歯磨き習慣を改善させることにも役立つ。特に、通常、刷毛が届かずに歯磨きが困難であった上顎または下顎歯の裏面への接近力が高くなって抜群な歯垢の除去力を誇る。さらに、本発明の歯ブラシは、垂直方向の歯磨きを誘導することにより歯磨き粉の消費量を減らすことが可能になる。
【図面の簡単な説明】
【００２５】
【図１】本発明の実施形態による歯ブラシの構造を示す斜視図。
【図２】本発明の実施形態による歯ブラシの構造を示す正面図。
【図３】本発明の実施形態による歯ブラシの構造を示す側面図。
【図１】
2008522780.tif 000004
【図２】
2008522780.tif 000005
【図３】
2008522780.tif 000006
【国際調査報告】
2008522780.tif 000007
2008522780.tif 000008